(57)【要約】 【課題】  開閉体を全閉する際に引戸の引手が邪魔にならない反面、開閉体を開いて引戸を開ける際には、引手を手前側に引き出し、かつ、該引手を用いて引戸を開けることができること。【解決手段】  開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部の上下方向に離間して固体的に配設された一組の支持部材及びこれらの支持部材に横設軸架された固定軸に基端部が軸支された上下一組の連結アームを介して引手本体用収納部に出し入れ自在に収納された縦長状の引手本体とから成る引戸用引手。【選択図】  図１
2006063560.tif 000002
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部の上下方向に離間して固体的に配設された一組の支持部材及びこれらの支持部材に横設軸架された固定軸に基端部が軸支された上下一組の連結アームを介して引手本体用収納部に出し入れ自在に収納された縦長状の引手本体とから成る引戸用引手。
【請求項２】
請求項１に於いて、支持部材には、連結アームの基端部に形成された係合部に係合するクリックボールを有する連結アーム用保持手段が組み込まれていることを特徴とする引戸用引手。
【請求項３】
請求項２に於いて、上下一組の連結アームの他端部は、引手本体に形成された凹所内に上下方向に離間して横設軸架された位置可動ピンにそれぞれ軸支されていると共に、これらの位置可動ピンには、引手本体を初期の収納位置へと戻すための戻しバネの機能を有するバネ部材がそれぞれ設けられていることを特徴とする引戸用引手。
【請求項４】
請求項１に於いて、引手本体の少なくとも一つの突片状端部と引手本体用収納部の凹所の内壁面との間には、指を差し込んで引手本体を手前側に引き出すことが可能な空間部分が設定されていることを特徴とする引戸用引手。
【発明の詳細な説明】
【技術分野】
【０００１】
本発明は、建物の出入り口には配置された引戸用の引手に関し、例えば室内側から内側引戸を開ける人を基準としてその手前側に開閉体が配置される引戸（内側引戸又は外側引戸、或いは内外の引戸）の戸先側の壁面に取付けられる引戸用引手に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体を用いてそのまま引戸を開けることができること。第２の目的は、引手本体を手前側に引き出した場合に於いて、引手本体の出た状態を保持できること。第３の目的は、引手本体を初期の収納位置へと戻した時に、引手本体が中途半端なところで停止しないようにすること。第４の目的は、指を差し込むだけで引手を手前側に容易に引き出すことができること。その他構造を極力シンプル化し、引戸に簡単に取付けることができることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部の上下方向に離間して固体的に配設された一組の支持部材及びこれらの支持部材に横設軸架された固定軸に基端部が軸支された上下一組の連結アームを介して引手本体用収納部に出し入れ自在に収納された縦長状の引手本体とから成る。
【０００５】
上記構成に於いて、支持部材には、連結アームの基端部に形成された係合部に係合するクリックボールを有する連結アーム用保持手段が組み込まれていることを特徴とする。その他の特徴は、従属項にそれぞれ記載されている。ここで「開閉体」とは、網戸、シャッターなどをいう。
【発明の効果】
【０００６】
（１）請求項１に記載の発明は、例えば室内側から内側の引戸を開ける人を基準としてその手前側に網戸、シャッターなどの開閉体が配置される引戸用引手に於いて、開閉体を全閉する際に引手本体が邪魔にならない反面、開閉体を開いて引戸を開ける際には、引手本体を上下の支持部材及び連結アームを介して手前側に引き出し、かつ、そのまま引手本体を用いて引戸を開けることができる。この場合、引手本体を指で引き出した時には、引手本体は上下の固定軸を支点にして位置可動ピンが略９０度回動する。
【０００７】
（２）請求項２に記載の発明は、引手本体を手前側に引き出した場合に於いて、引手本体が出た状態に保持できる。この場合、連結アーム用保持手段のクリックボールが、図１，図３で示すように、連結アームの上方に位置する係合部に係合し、極力、引手本体が落下して元の位置に戻らないよう支持する。
【０００８】
（３）請求項３に記載の発明は、引手本体を初期の収納位置へと戻した時に、引手本体が中途半端なところで停止しない。この場合、引手本体を押し込んで収納部へと戻す途中に於いて、バネ部材の復帰力が作用し、図８で示すように、連結アームの頂辺側の係合部３２にクリックボールが係合した所で、引手本体は停止する。
【０００９】
（４）請求項４に記載の発明は、指を差し込むだけで引手を手前側に容易に引き出すことができる。
【発明を実施するための最良の形態】
【００１０】
以下、図１乃至図１３に示す本発明を実施するための最良の形態により説明する。
【００１１】
（１）内側取付け座・・・固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている。なお、取付け座１は縦框以外の戸先側（閉じ側）の内部に固定しても良い。
【００１２】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図１で示すように断面横向き凹所状に形成されている。この断面横向き凹所を形成する取付け座１の開口６の大きさや幅は、引手本体１１の形態との関係を考慮し、例えば内側引手１１の少なくとも一つの突片状端部に指を引っ掛けて（本実施例）、或いは括れ状の部分を摘んで引手本体用収納部５から所定量引き出すことができるように適宜に形成されている。
【００１３】
本実施例では、開口６は、図１，図２で示すように、長板状部分２の上端部から下端部に至るまで形成され、一方、内側引手１１の長さは、引手本体１１の少なくとも一つの突片状端部１１ｂと引手本体用収納部５の凹所内壁の下方傾斜面１０との間に、指を差し込んで引手本体１１を手前側に引き出すことが可能な空間部分９が設定されている。取付け座１の長板状部分２と引手本体用収納部５は一体に形成されている。
【００１４】
取付け座１は、図１で示すように、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１５】
７は、引手本体用収納部５の内側引手１１と対向する垂直壁５ａの上端部と中央部（中央部寄りの部位も含む）にそれぞれ形成された第２固着具用の複数個のねじ孔である。これらのねじ孔７は、後述する一組の支持部材を取付け座１に固定するために利用される。
【００１６】
（２）内側引手・・・可動部材
１１は片手で握ることができる大きさの内側の引手本体で、この引手本体１１は長板状に形成され、取付け座１の引手本体用収納部５に収納することができるように、その長さ、大きさ、形状、肉厚等が適宜に設定されている。本実施例の引手本体１１は、取付け座１と少なくとも略面一（発明の目的を達成する限りに於いて、多少突出する場合も含む。）になるように前記引手本体用収納部５に一組の支持部材１５及びこれらの支持部材に軸支された上下一組の連結アーム１７を介して出し入れ自在に収納されている。
【００１７】
しかして、長板状引手本体１１は、図１で示すように、内部は上端部から下端部に至るまで横向き凹所状に形成され、該凹所内に所要間隔離間して一対の軸受け１２，１２が固着手段（例えばネジ）１３，１３を介して固定されている。軸受け１２，１２には、位置可動ピン１４，１４が横設軸架されている。なお、長板状引手本体１１は、前述したように本実施例では、その下端部に一つの突片状端部１１ｂを有し、この突片状端部１１ｂに指を掛けて引手本体１１を手前側に引き出すことができる。
【００１８】
（３）支持部材１５と連結アーム用保持手段２１
本発明の縦長状の引手本体１１は、取付け座１の収納部５の上下方向に離間して固体的に配設された一組の支持部材１５，１５及びこれらの支持部材１５，１５に横設軸架された固定軸１６，１６に基端部１７ａがそれぞれ軸支された上下一組の連結アーム１７，１７を介して前記収納部５に対して出し入れ自在に収納される。
【００１９】
そこで、図４及び図５を参照にして支持部材１５を説明する。なお、一組の支持部材１５，１５は同一構成なので、説明の便宜上、一方のみを説明する。
【００２０】
支持部材１５は、前述したねじ孔７にそれぞれ差し込まれる複数個の第２固着具８を介して収納部５の凹所内に突出しないように固定される。本実施例の支持部材１５は、図４で示すように下向き開口のケース部分１８と、このケース部分１８の両側壁の外壁面に固定された一対の軸受け部分１９，１９とを有し、前記軸受け部分１９，１９は、ケース部分１８の開口端面１８ａよりも下方に指先状に突出していると共に、これらの軸受け部分１９，１９の軸孔１９ａ，１９ａには、連結アーム１７の基端部１７ａを軸支する固定軸１６が横設軸架される。
【００２１】
ところで、本実施例では、図３で示すように、支持部材１５には、連結アーム１７の基端部１７ａの周壁部分の適宜部位に形成された合計２の係合部３２にそれぞれ係脱するクリックボール２４を有する連結アーム用保持手段２１が組み込まれている。
【００２２】
この保持手段２１は、例えば支持部材１５のケース部分１８に収納されたクリックバネ２３収納用小ケース２２と、前記クリックバネ２３によって連結アーム１７の係合部３２に係合するように常時付勢されたクリックボール２４とから成る。
【００２３】
なお、小ケース２２は、例えば前述した複数個の第２固着具８を介して支持部材１５内に固定されている。また、設計如何によっては、支持部材１５のケース部分１８に直接クリックバネ２３及びクリックボール２４を組み込むことも可能である。
【００２４】
（４）連結アーム１７
連結アーム１７，１７も、一組の支持部材１５，１５と同様に同一構成なので、説明の便宜上、一方のみを説明する。前述したように、連結アーム１７の基端部１７ａは、固定軸１６を介して支持部材１５の軸受け部分１９に回動自在に軸支される。
【００２５】
図６を参照にして連結アーム１７の構成を説明すると、１７ａは連結アーム１７の基端部で、この基端部１７ａには、固定軸１６用の軸孔３１が形成されていると共に、基端部１７ａの周壁部分の適宜部位には、例えば90度の位相差を有して合計２個のＶ型状係合部３２が形成されている。これらの係合部３２には、前述した連結アーム用保持手段２１のクリックボール２４が係脱可能である。一方、１７ｂは基端部１７ａから軸孔３１の半径外方向に指先状に延びる一対の軸受け部分で、これらの軸受け部分１７ｂ，１７ｂの先端部には、前述した位置可動ピン１４用の枢支孔３３，３３が形成されている。
【００２６】
したがって、引手本体１１は、支持部材１５側の固定軸１６を支点にし、かつ、前記位置可動ピン１４の軌跡に沿って所定量（例えば90度）回動可能である。この場合引手本体１１は、上下の連結アーム１７，１７を介して取付け座１の収納部５から外方向へ垂直状態を保ながら所定位置まで上昇する。
【００２７】
ところで、前記指先状の軸受け部分１７ｂ，１７ｂには、図７で示すように、次に説明するバネ部材３５の一端部を支持する小突起状のバネ受け部分３４が設けられている。
【００２８】
（５）バネ部材３５
本実施例では、必ずしも発明の限定要件ではないが、発明の一つの目的（引手本体を初期の収納位置へと戻した時に、引手本体が中途半端なところで停止しないようにすること）との関係に於いて、位置可動ピン１４に引手本体１１を初期の収納位置へと戻すための戻しバネの機能を有するバネ部材３５がそれぞれ設けられている。バネ部材３５は、その一端部は連結アーム１７のバネ受け部分３４に他端部は引手本体１１側の軸受け１２に当たっている。
【００２９】
（６）環境状態の使用例
図８、図９は、初期状態（引手本体１１が取付け座１の収納部５に完全に収納されている状態）である。一方、図１及び図２は、引手本体１１を指で引き出した状態（連結アーム１７，１７が固定軸１６を支点に略90度回転して出た状態）である。
【００３０】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図１１乃至図１３も参照にして説明する。
【００３１】
図１１は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。
【００３２】
上記の使用態様に於いて、バネ部材３５の復帰機能が作用して連結アーム１７の頂辺部分の係合部３２に保持手段２１のクリックボール２４が係合している。この状態に於いて、引手本体１１は引手本体用収納部５の凹所内に略面一状に収納されている。したがって、内側の引手本体１１が邪魔にならないので、開閉体４４を矢印Ａ方向へ完全に閉じることができる。
【００３３】
一方、図１２は、開閉体４４を矢印Ｂ方向に移動させ、その後に引手本体１１を指で手前側に引き出したきの状態を示す。この場合、室内側に操作する人がいて、室内側から開閉体４４を矢印Ｂ方向に開いたことを前提としている。したがって、開閉体４４は引戸ａの手前側に位置している。
【００３４】
前述したように、本実施例では、引手本体１１の少なくとも一つの突片状端部１１ｂと引手本体用収納部５の凹所の内壁面（例えば傾斜状斜面）１０との間には、少なくとも１本の指を差し込んで引手本体１１を手前側に引き出すことが可能な空間部分９が設定されていることから、引手本体１１が必要な時は、指で引手本体１１を引き出して利用する。図１３は引き出した引手本体１１をそのまま利用して引戸ａを所望量開いた場合の概略説明図である。
【実施例】
【００３５】
発明の実施の形態で示した実施例に於いて、発明の本質的目的との関係では、バネ部材３５は必須要件ではない。要は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できる構成であれば良い。
【産業上の利用可能性】
【００３６】
本発明は、主に建具の業界で利用される。
【図面の簡単な説明】
【００３７】
図１乃至図１３は本発明の最良の実施例を示す各説明図。
【図１】引手本体を引き出した状態の概略説明図。
【図２】図１の正面からの説明図。
【図３】主要部の概略断面図。
【図４】要部（支持部材）の斜視図。
【図５】支持部材の概略断面図。
【図６】要部（連結アーム）の斜視図。
【図７】連結アームの概略断面図。
【図８】初期状態の概略説明図（引手本体が取付け座に収納されている状態）。
【図９】図８の正面からの説明図。
【図１０】図９の９−９線概略断面図。
【図１１】引き違い戸の使用例に於いて、開閉体を全閉した場合の概略説明図。
【図１２】図１１の状態に於いて、開閉体を開き、引手本体を手前側に引き出した場合の概略説明図。
【図１３】図１２の状態に於いて、引手本体を利用して引戸を開いた場合の概略説明図。
【符号の説明】
【００３８】
Ｘ…引戸用引手、ａ…引戸（例えば内側の引戸）、1…取付け座、２…長板状部分、４…小貫通孔、５…引手本体用収納部、５ａ…垂直壁、６…開口、７…ねじ孔、９…空間部分、１０…内壁面、１１…引手本体、１４…位置可動ピン、１１ａ…一部分（例えば中央部分）、１１ｂ…突片状部分、１２…軸受け、１３…固着手段、１５…支持部材、１６…固定軸、１７…連結アーム、１７ａ…基端部、１７ｂ…軸受け部分、１８…ケース部分、１９…軸受け部分、２１…連結アーム用保持手段、２４…クリックボール、３５…バネ部材、４１…戸枠、４２…引き違い戸、４３…室内、４４…開閉体。
【図１】
2006063560.tif 000003
【図２】
2006063560.tif 000004
【図３】
2006063560.tif 000005
【図４】
2006063560.tif 000006
【図５】
2006063560.tif 000007
【図６】
2006063560.tif 000008
【図７】
2006063560.tif 000009
【図８】
2006063560.tif 000010
【図９】
2006063560.tif 000011
【図１０】
2006063560.tif 000012
【図１１】
2006063560.tif 000013
【図１２】
2006063560.tif 000014
【図１３】
2006063560.tif 000015
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部の上下方向に離間して固体的に配設された一組の支持部材及びこれらの支持部材に横設軸架された固定軸に基端部が軸支された上下一組の連結アームを介して引手本体用収納部に出し入れ自在に収納された縦長状の引手本体とから成る引戸用引手。
【請求項２】
請求項１に於いて、支持部材には、連結アームの基端部に形成された係合部に係合するクリックボールを有する連結アーム用保持手段が組み込まれていることを特徴とする引戸用引手。
【請求項３】
請求項２に於いて、上下一組の連結アームの他端部は、引手本体に形成された凹所内に上下方向に離間して横設軸架された位置可動ピンにそれぞれ軸支されていると共に、これらの位置可動ピンには、引手本体を初期の収納位置へと戻すための戻しバネの機能を有するバネ部材がそれぞれ設けられていることを特徴とする引戸用引手。
【請求項４】
請求項１に於いて、引手本体の少なくとも一つの突片状端部と引手本体用収納部の凹所の内壁面との間には、指を差し込んで引手本体を手前側に引き出すことが可能な空間部分が設定されていることを特徴とする引戸用引手。
【請求項５】
引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする引戸。
【手続補正２】
【補正対象書類名】明細書
【補正対象項目名】全文
【補正方法】変更
【補正の内容】
【発明の詳細な説明】
【技術分野】
【０００１】
本発明は、建物の出入り口には配置された引戸用の引手及び引戸に関し、例えば室内側から内側引戸を開ける人を基準としてその手前側に開閉体が配置される引戸（内側引戸又は外側引戸、或いは内外の引戸）の戸先側の壁面に取付けられる引戸用引手及び引戸に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体を用いてそのまま引戸を開けることができること。第２の目的は、引手本体を手前側に引き出した場合に於いて、引手本体の出た状態を保持できること。第３の目的は、引手本体を初期の収納位置へと戻した時に、引手本体が中途半端なところで停止しないようにすること。第４の目的は、指を差し込むだけで引手を手前側に容易に引き出すことができること。その他構造を極力シンプル化し、引戸に簡単に取付けることができることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部の上下方向に離間して固体的に配設された一組の支持部材及びこれらの支持部材に横設軸架された固定軸に基端部が軸支された上下一組の連結アームを介して引手本体用収納部に出し入れ自在に収納された縦長状の引手本体とから成る。
【０００５】
上記構成に於いて、支持部材には、連結アームの基端部に形成された係合部に係合するクリックボールを有する連結アーム用保持手段が組み込まれていることを特徴とする。
【０００６】
また、本発明の引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする。ここで「開閉体」とは、網戸、シャッターなどをいう。
【発明の効果】
【０００７】
（１）請求項１、請求項５に記載の発明は、例えば室内側から内側の引戸を開ける人を基準としてその手前側に網戸、シャッターなどの開閉体が配置される引戸用引手及び引戸に於いて、開閉体を全閉する際に引手本体が邪魔にならない反面、開閉体を開いて引戸を開ける際には、引手本体を上下の支持部材及び連結アームを介して手前側に引き出し、かつ、そのまま引手本体を用いて引戸を開けることができる。この場合、引手本体を指で引き出した時には、引手本体は上下の固定軸を支点にして位置可動ピンが略９０度回動する。
（２）請求項２に記載の発明は、引手本体を手前側に引き出した場合に於いて、引手本体が出た状態に保持できる。この場合、連結アーム用保持手段のクリックボールが、図１，図３で示すように、連結アームの上方に位置する係合部に係合し、極力、引手本体が落下して元の位置に戻らないよう支持する。
（３）請求項３に記載の発明は、引手本体を初期の収納位置へと戻した時に、引手本体が中途半端なところで停止しない。この場合、引手本体を押し込んで収納部へと戻す途中に於いて、バネ部材の復帰力が作用し、図８で示すように、連結アームの頂辺側の係合部３２にクリックボールが係合した所で、引手本体は停止する。
（４）請求項４に記載の発明は、指を差し込むだけで引手を手前側に容易に引き出すことができる。
【発明を実施するための最良の形態】
【０００８】
以下、図１乃至図１３に示す本発明を実施するための最良の形態により説明する。
【０００９】
（１）内側取付け座・・・固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている。なお、取付け座１は縦框以外の戸先側（閉じ側）の内部に固定しても良い。
【００１０】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図１で示すように断面横向き凹所状に形成されている。この断面横向き凹所を形成する取付け座１の開口６の大きさや幅は、引手本体１１の形態との関係を考慮し、例えば内側引手１１の少なくとも一つの突片状端部に指を引っ掛けて（本実施例）、或いは括れ状の部分を摘んで引手本体用収納部５から所定量引き出すことができるように適宜に形成されている。
【００１１】
本実施例では、開口６は、図１，図２で示すように、長板状部分２の上端部から下端部に至るまで形成され、一方、内側引手１１の長さは、引手本体１１の少なくとも一つの突片状端部１１ｂと引手本体用収納部５の凹所内壁の下方傾斜面１０との間に、指を差し込んで引手本体１１を手前側に引き出すことが可能な空間部分９が設定されている。取付け座１の長板状部分２と引手本体用収納部５は一体に形成されている。
【００１２】
取付け座１は、図１で示すように、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１３】
７は、引手本体用収納部５の内側引手１１と対向する垂直壁５ａの上端部と中央部（中央部寄りの部位も含む）にそれぞれ形成された第２固着具用の複数個のねじ孔である。これらのねじ孔７は、後述する一組の支持部材を取付け座１に固定するために利用される。
【００１４】
（２）内側引手・・・可動部材
１１は片手で握ることができる大きさの内側の引手本体で、この引手本体１１は長板状に形成され、取付け座１の引手本体用収納部５に収納することができるように、その長さ、大きさ、形状、肉厚等が適宜に設定されている。本実施例の引手本体１１は、取付け座１と少なくとも略面一（発明の目的を達成する限りに於いて、多少突出する場合も含む。）になるように前記引手本体用収納部５に一組の支持部材１５及びこれらの支持部材に軸支された上下一組の連結アーム１７を介して出し入れ自在に収納されている。
【００１５】
しかして、長板状引手本体１１は、図１で示すように、内部は上端部から下端部に至るまで横向き凹所状に形成され、該凹所内に所要間隔離間して一対の軸受け１２，１２が固着手段（例えばネジ）１３，１３を介して固定されている。軸受け１２，１２には、位置可動ピン１４，１４が横設軸架されている。なお、長板状引手本体１１は、前述したように本実施例では、その下端部に一つの突片状端部１１ｂを有し、この突片状端部１１ｂに指を掛けて引手本体１１を手前側に引き出すことができる。
【００１６】
（３）支持部材１５と連結アーム用保持手段２１
本発明の縦長状の引手本体１１は、取付け座１の収納部５の上下方向に離間して固体的に配設された一組の支持部材１５，１５及びこれらの支持部材１５，１５に横設軸架された固定軸１６，１６に基端部１７ａがそれぞれ軸支された上下一組の連結アーム１７，１７を介して前記収納部５に対して出し入れ自在に収納される。
【００１７】
そこで、図４及び図５を参照にして支持部材１５を説明する。なお、一組の支持部材１５，１５は同一構成なので、説明の便宜上、一方のみを説明する。
【００１８】
支持部材１５は、前述したねじ孔７にそれぞれ差し込まれる複数個の第２固着具８を介して収納部５の凹所内に突出しないように固定される。本実施例の支持部材１５は、図４で示すように下向き開口のケース部分１８と、このケース部分１８の両側壁の外壁面に固定された一対の軸受け部分１９，１９とを有し、前記軸受け部分１９，１９は、ケース部分１８の開口端面１８ａよりも下方に指先状に突出していると共に、これらの軸受け部分１９，１９の軸孔１９ａ，１９ａには、連結アーム１７の基端部１７ａを軸支する固定軸１６が横設軸架される。
【００１９】
ところで、本実施例では、図３で示すように、支持部材１５には、連結アーム１７の基端部１７ａの周壁部分の適宜部位に形成された合計２の係合部３２にそれぞれ係脱するクリックボール２４を有する連結アーム用保持手段２１が組み込まれている。
【００２０】
この保持手段２１は、例えば支持部材１５のケース部分１８に収納されたクリックバネ２３収納用小ケース２２と、前記クリックバネ２３によって連結アーム１７の係合部３２に係合するように常時付勢されたクリックボール２４とから成る。
【００２１】
なお、小ケース２２は、例えば前述した複数個の第２固着具８を介して支持部材１５内に固定されている。また、設計如何によっては、支持部材１５のケース部分１８に直接クリックバネ２３及びクリックボール２４を組み込むことも可能である。
【００２２】
（４）連結アーム１７
連結アーム１７，１７も、一組の支持部材１５，１５と同様に同一構成なので、説明の便宜上、一方のみを説明する。前述したように、連結アーム１７の基端部１７ａは、固定軸１６を介して支持部材１５の軸受け部分１９に回動自在に軸支される。
【００２３】
図６を参照にして連結アーム１７の構成を説明すると、１７ａは連結アーム１７の基端部で、この基端部１７ａには、固定軸１６用の軸孔３１が形成されていると共に、基端部１７ａの周壁部分の適宜部位には、例えば90度の位相差を有して合計２個のＶ型状係合部３２が形成されている。これらの係合部３２には、前述した連結アーム用保持手段２１のクリックボール２４が係脱可能である。一方、１７ｂは基端部１７ａから軸孔３１の半径外方向に指先状に延びる一対の軸受け部分で、これらの軸受け部分１７ｂ，１７ｂの先端部には、前述した位置可動ピン１４用の枢支孔３３，３３が形成されている。したがって、引手本体１１は、支持部材１５側の固定軸１６を支点にし、かつ、前記位置可動ピン１４の軌跡に沿って所定量（例えば90度）回動可能である。この場合引手本体１１は、上下の連結アーム１７，１７を介して取付け座１の収納部５から外方向へ垂直状態を保ながら所定位置まで上昇する。
【００２４】
ところで、前記指先状の軸受け部分１７ｂ，１７ｂには、図７で示すように、次に説明するバネ部材３５の一端部を支持する小突起状のバネ受け部分３４が設けられている。
【００２５】
（５）バネ部材３５
本実施例では、必ずしも発明の限定要件ではないが、発明の一つの目的（引手本体を初期の収納位置へと戻した時に、引手本体が中途半端なところで停止しないようにすること）との関係に於いて、位置可動ピン１４に引手本体１１を初期の収納位置へと戻すための戻しバネの機能を有するバネ部材３５がそれぞれ設けられている。バネ部材３５は、その一端部は連結アーム１７のバネ受け部分３４に他端部は引手本体１１側の軸受け１２に当たっている。
【００２６】
（６）環境状態の使用例
図８、図９は、初期状態（引手本体１１が取付け座１の収納部５に完全に収納されている状態）である。一方、図１及び図２は、引手本体１１を指で引き出した状態（連結アーム１７，１７が固定軸１６を支点に略90度回転して出た状態）である。
【００２７】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図１１乃至図１３も参照にして説明する。
【００２８】
図１１は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。
【００２９】
上記の使用態様に於いて、バネ部材３５の復帰機能が作用して連結アーム１７の頂辺部分の係合部３２に保持手段２１のクリックボール２４が係合している。この状態に於いて、引手本体１１は引手本体用収納部５の凹所内に略面一状に収納されている。したがって、内側の引手本体１１が邪魔にならないので、開閉体４４を矢印Ａ方向へ完全に閉じることができる。
【００３０】
一方、図１２は、開閉体４４を矢印Ｂ方向に移動させ、その後に引手本体１１を指で手前側に引き出したきの状態を示す。この場合、室内側に操作する人がいて、室内側から開閉体４４を矢印Ｂ方向に開いたことを前提としている。したがって、開閉体４４は引戸ａの手前側に位置している。
【００３１】
前述したように、本実施例では、引手本体１１の少なくとも一つの突片状端部１１ｂと引手本体用収納部５の凹所の内壁面（例えば傾斜状斜面）１０との間には、少なくとも１本の指を差し込んで引手本体１１を手前側に引き出すことが可能な空間部分９が設定されていることから、引手本体１１が必要な時は、指で引手本体１１を引き出して利用する。図１３は引き出した引手本体１１をそのまま利用して引戸ａを所望量開いた場合の概略説明図である。
【実施例】
【００３２】
発明の実施の形態で示した実施例に於いて、発明の本質的目的との関係では、バネ部材３５は必須要件ではない。要は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できる構成であれば良い。
【産業上の利用可能性】
【００３３】
本発明は、主に建具の業界で利用される。
【図面の簡単な説明】
【００３４】
図１乃至図１３は本発明の最良の実施例を示す各説明図。
【図１】引手本体を引き出した状態の概略説明図。
【図２】図１の正面からの説明図。
【図３】主要部の概略断面図。
【図４】要部（支持部材）の斜視図。
【図５】支持部材の概略断面図。
【図６】要部（連結アーム）の斜視図。
【図７】連結アームの概略断面図。
【図８】初期状態の概略説明図（引手本体が取付け座に収納されている状態）。
【図９】図８の正面からの説明図。
【図１０】図９の９−９線概略断面図。
【図１１】引き違い戸の使用例に於いて、開閉体を全閉した場合の概略説明図。
【図１２】図１１の状態に於いて、開閉体を開き、引手本体を手前側に引き出した場合の概略説明図。
【図１３】図１２の状態に於いて、引手本体を利用して引戸を開いた場合の概略説明図。
【符号の説明】
【００３５】
Ｘ…引戸用引手、ａ…引戸（例えば内側の引戸）、1…取付け座、２…長板状部分、４…小貫通孔、５…引手本体用収納部、５ａ…垂直壁、６…開口、７…ねじ孔、９…空間部分、１０…内壁面、１１…引手本体、１４…位置可動ピン、１１ａ…一部分（例えば中央部分）、１１ｂ…突片状部分、１２…軸受け、１３…固着手段、１５…支持部材、１６…固定軸、１７…連結アーム、１７ａ…基端部、１７ｂ…軸受け部分、１８…ケース部分、１９…軸受け部分、２１…連結アーム用保持手段、２４…クリックボール、３５…バネ部材、４１…戸枠、４２…引き違い戸、４３…室内、４４…開閉体。